(57)【要約】【課題】袋装着枠を分別投入仕様と、非分別投入仕様とに変更できるようにして、２個のごみ袋をごみ箱本体にきちんと装着できるようにしながら、１個のごみ袋の袋口をごみ箱本体の開口に沿って大きく開口させた状態で装着できようにし、外形が大きなごみであってもごみ箱に問題なく収容できるごみ箱を提供する。【解決手段】ごみ箱本体１の開口内面に袋装着枠４を設ける。袋装着枠４は、１個のごみ袋Ｂの袋口１９を押え保持する外枠２０と、外枠２０と協同して２個のごみ袋Ｂの袋口１９を隣接する状態で押え保持する一対の内枠２１とで構成する。各内枠２１は、外枠２０の内面に沿って収納される収納姿勢と、外枠２０で囲まれる空間を２分する使用姿勢とに変位操作でき、必要に応じて内枠２１の姿勢を変更することにより、分別投入仕様と、非分別投入仕様に切り換えることができる。非分別投入仕様に切り換えた状態では、内枠２１が外枠２０の内面に沿って収納されるので、内枠２１がごみ投入の邪魔になるのを解消できる。【選択図】　　　　図１
2004099201.tif 000002
【特許請求の範囲】
【請求項１】
ごみ箱本体１の開口内面に袋装着枠４が設けられているごみ箱であって、
袋装着枠４が、１個のごみ袋Ｂの袋口１９をごみ箱本体１の開口内面に沿って押え保持する外枠２０と、外枠２０と協同して２個のごみ袋Ｂの袋口１９を隣接する状態で押え保持する一対の内枠２１とで構成されており、
各内枠２１が、外枠２０の内面に沿って収納される収納姿勢と、外枠２０で囲まれる空間を２分する使用姿勢との間で往復変位できるよう外枠２０に支持されていることを特徴とする分別投入型のごみ箱。
【請求項２】
外枠２０が、ごみ箱本体１に起伏自在に支持された一対のコ字状の枠体２２で構成されており、
各枠体２２の内側面に沿って一対の内枠２１が起伏自在に支持されており、
内外枠２０・２１の揺動中心軸線が平行に設定してある請求項１記載の分別投入型のごみ箱。
【請求項３】
外枠２０が、ごみ箱本体１に起伏自在に支持された無端状の枠体で構成されて、その対向辺部の一側に設けた外軸２３を介して起伏自在に支持されており、
外枠２０の内側面に沿って一対の内枠２１が起伏自在に支持されており、
内外両枠２０・２１の揺動中心軸線が直交するように設定されている請求項１記載の分別投入型のごみ箱。
【発明の詳細な説明】
【０００１】
【発明の属する技術分野】
この発明は、例えば生ごみと資源ごみとを分別して投入することができる、主として家庭用のごみ箱に関する。
【０００２】
【従来の技術】
ごみ箱の内部に２個のごみ袋を装着して、ごみを分別投入できるようにしたごみ箱がある（特許文献１参照）。そこではごみ箱本体と、ごみ箱本体の開口内面に装着される袋装着枠と、これら両者の上面に被せ付けられる蓋等でごみ箱を構成している。袋装着枠には、ごみ袋の袋口をたくし込んで装着するための第１枠と第２枠とを隣接して設けてあり、各枠ごとにごみ袋を装着できる。
【０００３】
ごみ箱本体の中に中容器を収容して、ごみ箱の内部を中容器とその側方の空間とに区分し、ごみを分別投入できるようにしたごみ箱もある（特許文献２参照）。そこでは、ごみ箱本体の開口内面の一側と、中容器の開口内面には、それぞれごみ袋の袋口を押えて固定する枠体が設けてある。このごみ箱の場合には、ごみ箱本体の開口面を開閉する外蓋と、中容器の開口面を開閉する内蓋とを備えていて、外蓋のみ、あるいは内外の両蓋を同時に開放できるようになっている。
【０００４】
【特許文献１】
特開平７−３２３９０１号公報（段落番号００１４−００２３、図３）
【特許文献２】
登録実用新案第３０１４８５８号公報（段落番号００１０−００１６、図１）
【０００５】
【発明が解決しようとする課題】
上記のように、ごみ箱の内部に２個のごみ袋を個別に装着するごみ箱によれば、ごみを分別して投入できるので、家庭ごみの整理と廃棄を整然と行える。しかし、ごみを分別する必要がない場合には、ごみ袋を装着するための枠や、ごみ箱本体に収容した中容器がごみ投入の邪魔になるうえ、外形が大きなごみをごみ箱に収容できないことがある。
【０００６】
つまり、ごみの分別が半ば義務化されている地域では問題なく使用できるが、ごみを分別する必要がない地域の使用者にとっては、極めて使いづらいごみ箱となる。ごみ袋を装着するための枠のひとつを取り外し、あるいは中容器を取り出して使用することはできるが、その場合でも、ごみ袋の袋口をごみ箱本体の開口に沿って大きく開口させることができないので使いづらい。ごみ箱本体とは別に中容器を設けるごみ箱は、中容器と内蓋を設ける分だけ構造が複雑化し、ごみ箱の全体コストが高く付く不利もある。
【０００７】
この発明の目的は、２個のごみ袋をごみ箱本体に装着してごみを分別投入できるのはもちろんのこと、１個のごみ袋のみをごみ箱本体に装着してごみを投入することもでき、従って使用者の地域事情や好みに応じて、使用態様を自由に変更できる、使い勝手のよいごみ箱を提供することにある。
【０００８】
この発明の目的は、袋装着枠の構造を改良することによって、２個のごみ袋をごみ箱本体に対してきちんと装着でき、１個のごみ袋の袋口をごみ箱本体の開口に沿って大きく開口させた状態で装着でき、従って後者の形態でごみ箱を使用する際のごみ投入を問題なく行えるうえ、外形が大きなごみであっても、ごみ箱に支障なく収容できる、使用しやすいごみ箱を提供することにある。
【０００９】
この発明の目的は、１種類のごみ箱を分別投入用と、非分別投入用とに兼用できるようにしてごみ箱の生産コストを削減し、分別投入用と、非分別投入用とで専用のごみ箱を用意する場合に比べて、より安価で済むごみ箱を提供することにある。
【００１０】
【課題を解決するための手段】
この発明のごみ箱は、ごみ箱本体１の開口内面に袋装着枠４が設けられている。その袋装着枠４は、１個のごみ袋Ｂの袋口１９をごみ箱本体１の開口内面に沿って押え保持する外枠２０と、外枠２０と協同して２個のごみ袋Ｂの袋口１９を隣接する状態で押え保持する一対の内枠２１とで構成されている。各内枠２１は、外枠２０の内面に沿って収納される収納姿勢と、外枠２０で囲まれる空間を２分する使用姿勢との間で往復変位できるよう外枠２０に支持されていることを特徴とする。
【００１１】
具体的に説明すると、外枠２０は、ごみ箱本体１に起伏自在に支持された一対のコ字状の枠体２２で構成されており、各枠体２２の内側面に沿って一対の内枠２１がそれぞれ起伏自在に支持されている。内外枠２０・２１の揺動中心軸線が平行に設定されている。
【００１２】
外枠２０は、図８に示すごとくごみ箱本体１に起伏自在に支持された無端状の枠体で構成し、その対向辺部の一側に設けた外軸２３を介して起伏自在に支持されており、外枠２０の内側面に沿って一対の内枠２１が起伏自在に支持されており、内外両枠２０・２１の揺動中心軸線が直交するように設定されたものにすることができる。
【００１３】
【発明の作用効果】
この発明では、袋装着枠４を、外枠２０と、外枠２０の内面に沿って起伏操作できる一対の内枠２１とで構成し、内枠２１を使用姿勢にした状態では、内外両枠２０・２１が協同して２個のごみ袋Ｂを隣接した状態で押え保持できるようにした。そのうえで、内枠２１の姿勢を収納姿勢に切り換えることにより、外枠２０で１個のごみ袋Ｂを押え保持して、袋口１９を大きく開口できるようにした。従って、この発明のごみ箱によれば、分別投入仕様で使う場合と、非分別投入仕様で使う場合とのいずれの場合にも、ごみの投入を問題なく行える。とくに後者の形態でごみ箱を使う場合には、袋口１９を大きく開口でき、しかもごみ投入の邪魔になる内枠２１を外枠２０の内面に沿って折り込み収納できるので、外形が大きなごみであってもごみ箱に支障なく収容できる。
【００１４】
内枠２１は使用姿勢と収納姿勢とに切り換えるだけで、ごみ箱を分別投入仕様と非分別投入仕様とに変更できるので、使用者の地域事情や好みに応じて、ごみ箱の使用態様を簡単にしかも迅速に変更できる。１種類のごみ箱を分別投入用と、非分別投入用とに兼用できるので、分別投入用と非分別投入用とで専用のごみ箱を用意する場合に比べて、ごみ箱の生産コストを削減でき、その分だけごみ箱を安価に提供できることになる。
【００１５】
起伏自在に支持される一対のコ字状の枠体２２で外枠２０を構成し、これら枠体２２と、その内面に設けた一対の内枠２１の揺動中心軸線を平行に設定した袋装着枠４によれば、各枠体２２を片方ずつ個別に操作して１個のごみ袋Ｂを押え保持でき、あるいは２個のごみ袋Ｂを装着する場合には、ごみ袋Ｂを前後で対をなす枠体２２および内枠２１に対して、順にたくし込んで装着できるので、ごみ袋Ｂのごみ箱本体１への取り付けが簡便に行える。
【００１６】
外枠２０を無端状に構成し、その内側面に一対の内枠２１を設けた袋装着枠４によれば、起立する３周辺に袋口１９をたくし込むことでごみ袋Ｂを装着できるうえ、無端状に形成される外枠２０の強度を向上できる利点がある。
【００１７】
【実施例】
図１ないし図７はこの発明に係るごみ箱の実施例を示す。図２においてごみ箱は、ごみ箱本体１と、ごみ箱本体１の開口上面を開閉する蓋体２と、蓋体２を開閉操作するためのペダル機構３と、ごみ箱本体１の開口内面に設けた袋装着枠４などで構成してある。
【００１８】
図３においてごみ箱本体１は、上面が開口する前後に長い角箱状のプラスチック成形品からなり、その底面から後面にわたってペダル機構３を収容するための凹部６Ａ・６ＢがＬ字状に凹み形成されている。後面側の凹部６Ｂの上端両側にはブラケット７が突出しており、ブラケット７の両側左右に蓋体２を揺動開閉自在に軸支するピン８を突出している。ごみ箱本体１の開口内面には、袋装着枠４の外枠２０を受け止める段部９が周回状に形成してある。箱底側の凹部６Ａの前端上側には、爪先の入り込みを許す蹴込凹部１０を形成してある。
【００１９】
蓋体２は、角皿状のプラスチック成形品からなり、その内面後部に先のピン８で軸支される左右一対の軸受壁１２を有し、両軸受壁１２の中央前寄りにペダル機構３で突き上げ操作される受動片１３が突出されている。
【００２０】
図３においてペダル機構３は、箱底側の凹部６Ａの左右側壁に上下揺動可能に軸支されたペダル腕１５と、ペダル腕１５の後端と蓋体２の受動片１３とを連結する縦長の中間腕１６とで構成されている。符号１７はペダル腕１５の揺動軸である。
【００２１】
常態における蓋体２は自重によるモーメントでごみ箱本体１の開口面を塞いでおり、このときのペダル腕１５の前端は、凹部６Ａの上壁に接当して床面から離れている（図３の状態）。従って、図２に示すようにペダル腕１５の前端を爪先で踏み込むと、ペダル腕１５は図３において反時計回転方向へ揺動し、その動作を受けた中間腕１６が上昇して蓋体２を突き上げるので、蓋体２はピン８を中心にして開放揺動できる。
【００２２】
図１において袋装着機構４は、１個のごみ袋Ｂの袋口１９をごみ箱本体１の開口内面に沿って押え保持するための外枠２０と、外枠２０と協同して２個のごみ袋Ｂを隣接する状態で押え保持する前後一対の内枠２１とで構成する。詳しくは、図４に示すように、プラスチック成形品からなる前後一対のコ字状の枠体２２で外枠２０を構成する。
【００２３】
各枠体２２は、それぞれの遊端どうしが前後に隣接する状態でごみ箱本体１の開口内面に配置され、遊端の外側面に突出した外軸２３を開口両側壁の軸穴２４で軸支することにより、起伏自在にごみ箱本体１に支持されている。各枠体２２の左右枠の前後中途部には、それぞれ内枠２１を起伏自在に軸支する内軸２５を突設してあり、さらに左右枠の前後端寄りの内面に内枠２１の倒れ込み限界を規定する受片２６が張り出し形成されている。
【００２４】
内枠２１は、前後長さが各枠体２２の約半分程度のコ字状のプラスチック成形品からなり、その遊端のそれぞれに先の内軸２５で軸支される軸穴２７が形成されている。後ろ側（蓋体２の揺動基端側）に位置する内枠２１と枠体２２との左右中央部には、凹部６Ｂの周壁との接当緩衝を避ける逃げ部２８・２９が凹み形成されている。
【００２５】
外軸２３を軸穴２４に装着することにより、枠体２２は全体が段部９で受け止められる閉じ姿勢と、全体が起立する開放姿勢とに起伏揺動できる。閉じ姿勢においては、図６に示すように枠体２２にたくし込んだごみ袋Ｂの袋口１９を段部９と枠体２２とで挟み保持できる。
【００２６】
さらに各内枠２１の軸穴２７を内軸２５に装着することにより、内枠２２は、外枠２０の内面に沿って収納される図７の収納姿勢と、内枠２１どうしが箱開口の前後中央において隣接して、外枠２０で囲まれる空間を２分する図４の使用姿勢との間を往復揺動変位できる。
【００２７】
なお、内枠２１の揺動中心軸と、枠体２２の揺動中心軸線とは平行になっている。内枠２１を使用姿勢に倒しこんだ状態では、図３に示すように、前側の枠体２２と内枠２１、および後側の枠体２２と内枠２１とのそれぞれに袋口１９をたくし込んで、２個のごみ袋Ｂを取り付けることができる。
【００２８】
上記構成のごみ箱によれば、図３に示すように内枠２１および外枠２０で２個のごみ袋Ｂを隣接保持して、例えば生ごみと資源ごみとを分別投入できる。各ごみ袋Ｂを内袋２１および外枠２０に装着した状態においては、ごみ箱本体１の前後中央で隣接する内袋２１の中央枠部２１ａどうしが近接して、前後のごみ袋Ｂを互いに挟み保持する。これにより、前後のごみ袋Ｂが内枠２１からずり落ちるのを確実に防止している。また、内枠２１を外枠２０の内面に沿わせて収納し、図６に示すように一対の枠体２２のみで１個のごみ袋Ｂを保持固定して、その袋口１９をごみ箱本体１の開口縁に沿わせて大きく開口した状態で使用できる。
【００２９】
分別投入仕様と非分別投入仕様との仕様変更は、内枠２１を１８０度揺動操作するだけの簡単な操作で行えるので、仕様変更に要する手間を著しく省くことができる。一種類のごみ箱だけで、分別投入仕様と非分別投入仕様とのいずれにも対応できるので、各仕様ごとに専用のごみ箱を製造する場合に比べて、ごみ箱をより低コストで製造できる点でも有利である。
【００３０】
図８はごみ箱の別実施例を示す。そこでは、外枠２０をごみ箱本体１の開口内面に沿う無端縁状の枠体で構成し、その長辺部の前後端に設けた外軸２３を軸穴２４で軸支することにより、外枠２０を全体が段部９で受け止められる閉じ姿勢と、全体がごみ箱本体１の長辺部に沿って起立する開放姿勢とに起伏揺動できるようにした。そのうえで、外枠２０の内側面に沿って前後一対の内枠２１を配置し、先の実施例と同様に起伏自在に支持して、内外両枠２０・２１の揺動中心軸線が直交するように設定した。なお、内枠２１の一側には、外軸２３が設けられるコーナー壁に沿う入り隅部３１を形成している。
【００３１】
使用時には、内枠２１を収納姿勢にして１個のごみ袋Ｂを外枠２０で押え保持し、あるいは内枠２１を使用姿勢にして、２個のごみ袋Ｂを内外両枠２０・２１で押え保持する。他は先の実施例と同じであるので、同じ部材に同じ符号を付してその説明を省略する。
【００３２】
上記の実施例以外に、内外両枠２０・２１は金属線材で形成することができる。内枠２１は外枠２０で囲まれる空間をほぼ２等分する状態で設ける必要はなく、２分されたいずれか一方の空間を他方の空間より大きく設定することができる。そのために軸穴２７を長穴で形成し、内枠２１を外枠２０に対して前後スライド操作して、対をなす両枠２０・２１で囲まれる空間の大きさを変更できるようにすることができる。内枠２１は枠体２２に対してねじで揺動可能に連結してもよい。ごみ箱本体１の横断面形状は横長四角形、四角形、円形、楕円形など自由に選択できる。
【図面の簡単な説明】
【図１】ごみ箱の分解斜視図である。
【図２】蓋体を開けた状態のごみ箱の斜視図である。
【図３】ごみ箱に２個のごみ袋を装着した状態の縦断側面図である。
【図４】分別投入する場合のごみ箱の横断平面図である。
【図５】図４におけるＡ−Ａ線断面図である。
【図６】ごみ箱に１個のごみ袋を装着した状態の縦断側面図である。
【図７】分別投入しない場合のごみ箱の横断平面図である。
【図８】袋装着枠の別実施例を示す横断平面図である。
【符号の説明】
１　ごみ箱本体
４　袋装着枠
１９　袋口
２０　外枠
２１　内枠
２２　枠体
【図１】
2004099201.tif 000003
【図２】
2004099201.tif 000004
【図３】
2004099201.tif 000005
【図４】
2004099201.tif 000006
【図５】
2004099201.tif 000007
【図６】
2004099201.tif 000008
【図７】
2004099201.tif 000009
【図８】
2004099201.tif 000010